(57)【要約】     【課題】制御機器及び電気配線が外部に露出せず、しかも施設時及びメンテナンス時の高い作業性を達成することができるコンベヤフレームを提供する。    【解決手段】本発明のコンベヤフレームは、物品搬送用の搬送ローラ３を両側から挟むように搬送経路に沿って設けられた本体フレーム２０の内側に、所定の調整用スイッチ５を有する制御機器４が設けられている。制御機器４は、それぞれ本体フレーム２０の内側で電気配線６が施されている。本体フレーム２０には操作用開口部２２が設けられ、この操作用開口部２２を介して制御機器４の調整用スイッチ５を外側から操作するように構成されている。【選択図】  図２
2005187168.tif 000002
【特許請求の範囲】
【請求項１】
物品搬送用の搬送物支持部材を両側から挟むように搬送経路に沿って設けられた本体フレームと、
前記本体フレームの内側に設けられ、所定の調整用スイッチを有する制御機器とを備え、
前記制御機器が前記本体フレームの内側で配線されているとともに、
前記本体フレームに操作用開口部が設けられ、前記操作用開口部を介して前記制御機器の調整用スイッチを操作するように構成されていることを特徴とするコンベヤフレーム。
【発明の詳細な説明】
【技術分野】
【０００１】
本発明は、例えば、ローラコンベヤにおいて搬送ローラを支持するコンベヤフレームに関し、特に、電気機器を取り付けるためのコンベヤフレームに関する。
【背景技術】
【０００２】
従来、物品を搬送経路に沿って搬送する装置として、例えば、図４に示すようなローラコンベヤ１０１が知られている。
【０００３】
このローラコンベヤ１０１は、所定の搬送経路に沿って延びる一対のコンベヤフレーム１０２が、複数の搬送ローラ１０３を両側から回動自在に支持するように構成されている。
【０００４】
コンベヤフレーム１０２は、例えば鋼板に曲げ加工を施すことにより断面略コ字形状に形成され、その収容部１０２ａには複数の制御機器１０４及び電気配線１０５が配置されている。
【０００５】
そして、制御機器１０４及び電気配線１０５が外部に露出しないように、コンベヤフレーム１０２の収容部１０２ａをフレームカバー１０６によって覆うように構成されている。
【０００６】
【特許文献１】特許第２８０５４３３号公報
【発明の開示】
【発明が解決しようとする課題】
【０００７】
しかしながら、このような従来例の場合、フレームカバー１０６をコンベヤフレーム１０２に装着する作業は困難で、また、多数のフレームカバー１０６を装着しなければならないため、コンベヤの施設作業性が悪いという問題がある。
【０００８】
このような課題を解決する手段として、図５に示すような従来技術が提案されている。
図５に示すように、このローラコンベヤ１０１Ａにおいては、コンベヤフレーム１０２の内側に制御機器１０４及び電気配線１０５を設けるようにしている。
【０００９】
しかし、この従来技術の場合、制御用の調整スイッチがコンベヤフレーム１０２の内側に向けて配置されるので、調整やメンテナンス時にコンベヤの下側から手を入れたり、コンベヤ上部の搬送ローラ１０３を除去して作業をしなければならないため、工数が増加するという問題がある。
【００１０】
本発明は、このような従来の技術の課題を解決するためになされたもので、制御機器及び電気配線が外部に露出せず、しかも施設時及びメンテナンス時の高い作業性を達成することができるコンベヤフレームを提供することを目的とする。
【課題を解決するための手段】
【００１１】
上記目的を達成するためになされた請求項１記載の発明は、物品搬送用の搬送物支持部材を両側から挟むように搬送経路に沿って設けられた本体フレームと、前記本体フレームの内側に設けられ、所定の調整用スイッチを有する制御機器とを備え、前記制御機器が前記本体フレームの内側で配線されているとともに、前記本体フレームに操作用開口部が設けられ、前記操作用開口部を介して前記制御機器の調整用スイッチを操作するように構成されていることを特徴とするコンベヤフレームである。
【００１２】
本発明の場合、制御機器が本体フレームの内側に設けられていることから、制御機器や電気配線を覆うためのカバー等が必要なく、その取付作業を省略することができるので、構成を簡素化するとともにコンベヤの施設作業性を向上させることができる。
【００１３】
また、本体フレームに設けられた操作用開口部を介して制御機器の調整用スイッチを操作するように構成されていることから、調整やメンテナンス時にコンベヤの下側から手を入れたりコンベヤ上部の搬送ローラを除去して作業をする必要がないので、工数を簡素化して作業性を向上させることができる。
【００１４】
そして、このようなコンベヤフレームを有する本発明によれば、構成が簡素で施設作業及びメンテナンス時の作業性の高いコンベヤを提供することができる。
【発明の効果】
【００１５】
本発明によれば、制御機器及び電気配線が外部に露出せず、しかも施設時及びメンテナンス時の高い作業性を達成可能なコンベヤフレーム及びコンベヤを提供することができる。
【発明を実施するための最良の形態】
【００１６】
以下、本発明に係るコンベヤフレーム及びローラコンベヤの実施の形態を図面を参照して詳細に説明する。  
図１は、本実施の形態のコンベヤフレームを有するローラコンベヤの要部概略構成を示す斜視図、図２は、図１の部分Ａの拡大図である。また、図３は、本実施の形態の要部を示す部分断面図である。
【００１７】
図１に示すように、本実施の形態のローラコンベヤ１は、所定の間隔で搬送経路Ｐに沿って平行に延びる一対の本体フレーム２０、２１からなるコンベヤフレーム２を有している。
【００１８】
そして、各本体フレーム２０、２１の上部には、複数の搬送ローラ３が所定の間隔をおいて回動自在に支持されている。
【００１９】
本体フレーム２０、２１は、例えば鋼板に曲げ加工を施すことによって断面略コ字状に形成された長尺の部材からなるものである。
【００２０】
ここで、各本体フレーム２０、２１は、それぞれのフランジ部２０ａ、２１ａを外側、すなわち、搬送経路Ｐに対して側部側へ向けて配置されている。
【００２１】
図２及び図３に示すように、本実施の形態の場合は、一方の本体フレーム２０の内側に複数の制御機器４が取り付けられている。
【００２２】
また、本体フレーム２０の所定の部位には、操作用開口部２２が設けられ、各制御機器４は、各操作用開口部２２の位置に対応させて配置されている。
【００２３】
この場合、各操作用開口部２２は、対応する制御機器４より小さく、かつ、制御機器４の調整用スイッチ５より大きな大きさを有し、例えば長孔形状に形成されている。
【００２４】
そして、各制御機器４は、調整用スイッチ５を各操作用開口部２２の位置に合わせ、調整用スイッチ５を外側に向けて本体フレーム２０に取り付けられている。これにより、調整用スイッチ５は、操作用開口部２２を介して本体フレーム２０の外側に露出し、作業者が本体フレーム２０の外側から操作するようになっている。
【００２５】
さらに、各制御機器４は、本体フレーム２０の内側で相互に電気配線６が施されている。
【００２６】
なお、本体フレーム２０には、物品検出を行う光電管７のための開口部２３が設けられており、この開口部２３を介して光電管７と制御機器４との電気配線８が施されている。
【００２７】
以上述べたように本実施の形態によれば、制御機器４が本体フレーム２０の内側に設けられていることから、制御機器４や電気配線６を覆うためのカバー等が必要なく、その取付作業を省略することができるので、構成を簡素化するとともにコンベヤの施設作業性を向上させることができる。
【００２８】
また、本体フレーム２０に設けられた操作用開口部２２を介して制御機器４の調整用スイッチ５を操作するように構成されていることから、調整やメンテナンス時にコンベヤの下側から手を入れたりコンベヤ上部の搬送ローラ３を除去して作業をする必要がなく、工数を簡素化して作業性を向上させることができる。
【００２９】
そして、このようなコンベヤフレーム２を有する本実施の形態によれば、構成が簡素で施設作業及びメンテナンス時の作業性の高いローラコンベヤ１を提供することができる。
【００３０】
なお、本発明は上述の実施の形態に限られることなく、種々の変更を行うことができる。  
例えば、上述の実施の形態においては、一方の本体フレームに制御機器を設けるようにしたが、本発明はこれに限られず、他方の本体フレーム又は両方の本体フレームに制御機器を設けることもできる。
【００３１】
また、本体フレームの操作用開口部の形状、大きさ、位置等については、取り付ける制御機器に応じて適宜変更することができる。
【００３２】
さらに、本体フレームの操作用開口部を覆うように例えば透明なカバーを取り付けることも可能である。
【００３３】
さらにまた、本発明のコンベヤフレームは、ローラコンベヤのみならず、例えば、ベルトコンベヤ、チェーンコンベヤ等の種々のコンベヤに適用することができるものである。
【図面の簡単な説明】
【００３４】
【図１】本発明の実施の形態のコンベヤフレームを有するローラコンベヤの要部概略構成を示す斜視図である。
【図２】図１の部分Ａの拡大図である。
【図３】本実施の形態の要部を示す部分断面図である。
【図４】従来技術のローラコンベヤの要部概略構成を示す斜視図である。
【図５】他の従来技術のローラコンベヤの要部概略構成を示す斜視図である。
【符号の説明】
【００３５】
１…ローラコンベヤ
２…コンベヤフレーム
３…搬送ローラ
４…制御機器
５…調整用スイッチ
６…電気配線
２０…本体フレーム
２１…本体フレーム
２２…操作用開口部
【図１】
2005187168.tif 000003
【図２】
2005187168.tif 000004
【図３】
2005187168.tif 000005
【図４】
2005187168.tif 000006
【図５】
2005187168.tif 000007